(57)【特許請求の範囲】
【請求項１】
燃料を燃焼させて得られる燃焼熱を被加熱水と熱交換して湯水に換えるボイラと、
前記燃料を貯溜する燃料タンクと、
前記ボイラに内設されたポンプを駆動させるバッテリと、
前記ボイラ、前記燃料タンク及び前記バッテリを搭載したワゴンと、を備えた移動可能な移動式給湯装置であって、
前記ワゴンは、前記ボイラ、前記燃料タンク及び前記バッテリを載設した下板部と、
前記下板部に立設された支柱フレームと、を備え、
前記支柱フレームの上部には、使用時に、当該支柱フレームよりも高い位置に配置され、移動時に、前記ワゴン内に収納可能に配置され、前記バッテリに電力を供給して充電を行う太陽光パネルが設けられていることを特徴とする移動式給湯装置。
【請求項２】
前記太陽光パネルは、一端部が、ヒンジ及びリンク部材を介在して、前記支柱フレームの上部に設けられた枠部の一端部側寄りの位置に回動自在に設けられ、
他端部が、当該太陽光パネルを前記枠部の他端部側に、ロック機構を介在して保持されることを特徴とする請求項１に記載の移動式給湯装置。
【請求項３】
前記太陽光パネルは、使用時に、太陽光を受ける受光面が、前記一端部から前記他端部に亘って斜め下側に向けて傾斜して配置され、
前記リンク部材は、前記太陽光パネルの一端部側の幅方向の両端部に連結された一対のアームと、
前記一対のアーム間に介在されたカバー部材と、を備えると共に、
前記太陽光パネルの使用時に、前記枠部の一端部側寄りの位置から上方に向けて回動した状態に配置され、
前記ボイラは、排気ガスを排出する排気口を一端部方向にして前記下板部上の一端部側寄りの位置に載設されていることを特徴とする請求項２に記載の移動式給湯装置。
【請求項４】
前記枠部の外周部及び前記四つの支柱フレームの上部外側には、放熱孔が多数形成された側板がそれぞれ設けられていることを特徴とする請求項１ないし請求項３のいずれか一項に記載の移動式給湯装置。
【請求項５】
前記側板の内周面には、前記太陽光パネルで生成された電流によって前記バッテリを充電する制御を行う充電コントローラが配置され、
前記充電コントローラは、一方が前記太陽光パネルに接続され、他方が前記バッテリに接続されていることを特徴とする請求項４に記載の移動式給湯装置。
【請求項６】
前記ワゴン内には、前記燃料タンク及び前記バッテリの後方部位の前記下板部からこの下板部の上方に亘って前記太陽光パネルを収納するための収納空間が形成されていることを特徴とする請求項１ないし請求項５のいずれか一項に記載の移動式給湯装置。
【発明の詳細な説明】
【技術分野】
【０００１】
本発明は、移動式給湯装置に係り、特に、太陽光パネルを設けた移動式給湯装置に関する。
【背景技術】
【０００２】
従来、屋内外及び車両の車室内等に配置した浴槽に湯水を供給する介護用の入浴サービスや、キャンプ場、海水浴場等において使用する簡易シャワー等に湯水を供給する給湯装置としては、ボイラを移動させて使用する移動式給湯装置が使用されている（例えば、特許文献１参照）。
【０００３】
この移動式給湯装置は、ケーシング内にボイラ部（ボイラ）、給水タンク、出水ポンプ、出湯ポンプ及び貯湯タンクを収納して、ボイラのケーシング外に燃料容器、出水ヘッダー及び出湯ヘッダーを取り付けて、ケーシングの下部にキャスタを取り付けている。
【先行技術文献】
【特許文献】
【０００４】
【特許文献１】特許第２７９４３６２号公報
【発明の概要】
【発明が解決しようとする課題】
【０００５】
しかしながら、特許文献１に記載された移動式給湯装置は、出水ポンプ及び出湯ポンプに設けられている電動モータ等を駆動させる電源がなければ駆動しないため、戸外等の電源のない場所では使用できないという問題点があった。
【０００６】
この問題点を解消する手段としては、充電式の蓄電池（以下「バッテリ」という）を搭載して、電源のないところでも給湯できるようにすることが考えられる。
しかしながら、移動式給湯装置にバッテリを搭載したとしても、使用することによってバッテリが放電してバッテリ切れを起こすため、長時間に亘って給湯することができないという問題点があった。
この場合、バッテリを大型化すればバッテリの使用可能時間を長くできるものの、装置全体の荷重が重くなり、容易に持ち運びすることができず、移動性及び搬送性が悪化するという問題点があった。
【０００７】
本発明は、このような事情に鑑みてなされたものであり、移動可能でどこでも湯水を長時間に亘って供給することができる移動式給湯装置を提供することを目的とする。
【課題を解決するための手段】
【０００８】
本発明は、前記目的を達成するために創案されたものであり、本発明に係る移動式給湯装置は、燃料を燃焼させて得られる燃焼熱を被加熱水と熱交換して湯水に換えるボイラと、前記燃料を貯溜する燃料タンクと、前記ボイラに内設されたポンプを駆動させるバッテリと、前記ボイラ、前記燃料タンク及び前記バッテリを搭載したワゴンと、を備えた移動可能な移動式給湯装置であって、前記ワゴンは、前記ボイラ、前記燃料タンク及び前記バッテリを載設した下板部と、前記下板部に立設された支柱フレームと、を備え、前記支柱フレームの上部には、使用時に、当該支柱フレームよりも高い位置に配置され、移動時に、前記ワゴン内に収納可能に配置され、前記バッテリに電力を供給して充電を行う太陽光パネルが設けられていることを特徴とする。
【０００９】
かかる構成によれば、移動式給湯装置は、ボイラと燃料タンクとバッテリとがワゴンに搭載されているので、ワゴンを押してボイラを移動させることができるため、湯水を使用したい場所に自由に移動させて供給することができる。移動式給湯装置を移動させる際には、太陽光パネルをワゴン内に収納することが可能であることによって、太陽光パネルが他の物と接触して損傷したり、搬送時に邪魔になったりするのを防止することができる。このため、移動式給湯装置は、手で押して移動させたり、自動車等に積載して移動させたりし易い。
また、移動式給湯装置において、電気を使用するポンプやセンサ等の電気部品は、バッテリから電気が供給されるので、電源がない屋外等であっても使用することができる。移動式給湯装置は、バッテリに電力を供給して充電を行う太陽光パネルがワゴンに設けられていることにより、太陽光パネルによる太陽光発電で電力を生成してバッテリを充電することができるため、バッテリ切れするのを防止することができる。
その結果、被災地等の電源がない場所であっても、バッテリがバッテリ切れし難い分、湯水を長時間に亘って連続的に供給することができる。これに伴い、バッテリを比較的小型で軽量なものであっても使用可能にすることができると共に、装置全体を小型化して移動性及び搬送性を向上させることができる。
【００１０】
また、前記太陽光パネルは、一端部が、ヒンジ及びリンク部材を介在して、前記支柱フレームの上部に設けられた枠部の一端部側寄りの位置に回動自在に設けられ、他端部が、当該太陽光パネルを前記枠部の他端部側に、ロック機構を介在して保持されることが好ましい。
【００１１】
かかる構成によれば、太陽光パネルは、使用する際に、一端部を、ヒンジ及びリンク部材を介在してワゴンの枠部に対して回動させて起こし、他端部を、太陽光パネルを枠部の他端部側にロック機構で保持させることによって、太陽光パネルを枠部から起こした状態にロックして使用することができる。このため、太陽光パネルは、太陽がある方向に対向するように斜めに回動させ、太陽光の集光効率を向上させることが可能となる。
【００１２】
また、前記太陽光パネルは、使用時に、太陽光を受ける受光面が、前記一端部から前記他端部に亘って斜め下側に向けて傾斜して配置され、前記リンク部材は、前記太陽光パネルの一端部側の幅方向の両端部に連結された一対のアームと、前記一対のアーム間に介在されたカバー部材と、を備えると共に、前記太陽光パネルの使用時に、前記枠部の一端部側寄りの位置から上方に向けて回動した状態に配置され、前記ボイラは、排気ガスを排出する排気口を一端部方向にして前記下板部上の一端部側寄りの位置に載設されていることが好ましい。
【００１３】
かかる構成によれば、太陽光パネルは、太陽光を受ける受光面が、一端部から他端部に亘って斜め下側に向けて傾斜して配置されていることにより、太陽がある方向に直交するように傾けて使用することが可能となり、太陽光の集光効率を向上させることができる。
ボイラは、排気ガスを排出する排気口を一端部方向にしてワゴンに載設されていることによって、太陽光パネルと反対側の一端部側にカバー部材が配置される。このため、カバー部材は、リンク部材のアームと共に一端部を中心として回動させて、太陽光パネルを使用する斜めの状態にすることにより、ボイラの排気口から排出された排気ガスが、カバー部材に向けて流れた後、カバー部材に沿って上昇するように指向されるので、その反対側にある太陽光パネル側に回り込むように流れるのを抑制することができる。
その結果、太陽光パネルが排気ガスの煙や熱の影響を受けて、変質したり、劣化したりするのを防止することができる。
【００１４】
また、前記ワゴンは、前記枠部の外周部及び前記四つの支柱フレームの上部外側には、放熱孔が多数形成された側板がそれぞれ設けられていることが好ましい。
【００１５】
かかる構成によれば、ワゴンは、枠部の外周部及び四つの支柱フレームの上部外側に、放熱孔が多数形成された側板がそれぞれ設けられていることによって、ボイラの熱で加熱されたワゴンの上部の熱を放熱して、高温になるのを抑制し、太陽光パネルを保護することができる。
【００１６】
また、前記側板の内周面には、前記側板の内周面には、前記太陽光パネルで生成された電流によって前記バッテリを充電する制御を行う充電コントローラが配置され、前記充電コントローラは、一方が前記太陽光パネルに接続され、他方が前記バッテリに接続されていることが好ましい。
【００１７】
かかる構成によれば、放熱孔が形成された側板の内周面には、太陽光パネルで生成された電流によってバッテリの充電を制御する充電コントローラが配置されていることにより、充電コントローラがボイラ熱の影響を受けるのを防止することができる。
【００１８】
また、前記ワゴン内には、前記燃料タンク及び前記バッテリの後方部位の前記下板部からこの下板部の上方に亘って前記太陽光パネルを収納するための収納空間が形成されていることが好ましい。
【００１９】
かかる構成によれば、ワゴン内のタンク及びバッテリの後方部位の下板部からこの下板部の上方に亘って収納空間があることによって、その収納空間に太陽光パネルを収納することができるため、移動時等に太陽光パネルが邪魔になることがない。また、その移動時に、太陽光パネルが他の物に当接したり、損傷したりするのを防止することができる。
【発明の効果】
【００２０】
本発明に係る移動式給湯装置によれば、移動可能でどこでも湯水を長時間に亘って連続して供給することができる。
【図面の簡単な説明】
【００２１】
【図１】本発明の実施形態に係る移動式給湯装置を示すブロック図である。
【図２】本発明の実施形態に係る移動式給湯装置の太陽光パネルの使用時の状態を示す斜視図である。
【図３】本発明の実施形態に係る移動式給湯装置の太陽光パネルの使用時の状態を示す左側面図である。
【図４】本発明の実施形態に係る移動式給湯装置の太陽光パネルの使用時の状態を示す正面図である。
【図５】本発明の実施形態に係る移動式給湯装置の移動時の状態を示す平面図である。
【図６】本発明の実施形態に係る移動式給湯装置の太陽光パネルの使用時の状態を示す要部斜視図である。
【図７】ボイラの内部構造の一例を示す図であり、前側パネルを取り外したときの状態を示すボイラの正面図である。
【図８】ボイラの内部構造の一例を示す図であり、側面パネルを取り外したときの状態を示すボイラの左側面図である。
【発明を実施するための形態】
【００２２】
以下、図１〜図８を参照しながら本発明の実施形態に係る移動式給湯装置の一例を説明する。
移動式給湯装置Ａにおいて、便宜上、ボイラ４の排気口４ａ（図４参照）が配置された側を正面として説明する。また、本発明の移動式給湯装置Ａで使用される燃料は、バーナ部４４（図７及び図８参照）で燃焼させることが可能なものであれば、灯油、重油、軽油、ガソリン、ガス等のいずいれかであっても構わない。本発明の移動式給湯装置Ａは、その一例として灯油を使用する灯油ボイラ（石油ボイラ）の場合を例に挙げて説明する。
【００２３】
≪移動式給湯装置の構成≫
図１に示すように、移動式給湯装置Ａは、温水（以下「湯水」という）を供給する小型の給湯装置であって、太陽光パネル１と、充電コントローラ２と、バッテリＢと、ＤＣ／ＡＣインバータ３と、ボイラ４と、燃料タンクＴ（図２参照）等をワゴン５に搭載して自由に移動可能な装置である。このため、移動式給湯装置Ａは、屋内、屋外、車両の車室内、あるいは、電源のない場所等に配置された浴槽、シャワー等に給湯する装置であっても、適宜な場所へ自由に移動させて湯水を供給することが可能な給湯設備として使用することができる。
【００２４】
この移動式給湯装置Ａは、太陽光の光エネルギーを電気に変換する太陽光パネル１と、充電制御用の充電コントローラ２と、太陽光パネル１で生成された電気で充電されるバッテリＢと、バッテリＢの直流電流を交流電流に変換するＤＣ／ＡＣインバータ３と、その交流電流が供給されて駆動するボイラ４と、ボイラ４に供給する燃料を貯溜する燃料タンクＴと、キャスタ５８（図２参照）を有するワゴン５と、を主に備えている。
【００２５】
≪太陽光パネルの構成≫
図２及び図３に示すように、太陽光パネル１は、太陽光から電気エネルギーを集めて太陽光発電を行うソーラパネルユニットであって、所謂ソーラ電池である。太陽光パネル１は、使用時に、太陽光を受ける矩形の厚平板状のパネルの受光面１ｃが、基端部１ａ（一端部）から先端部１ｂ（他端部）に亘って斜め下側に向けて傾斜した状態でワゴン５の上部に配置されて、太陽光を集光し易い状態に配置されている。このため、太陽光パネル１は、基端部１ａが、ヒンジ７及びリンク部材５４を介在して枠部５３の一端部側寄りの位置に回動自在に設けられ、先端部１ｂが、枠部５３の他端部側にロック機構９を介在して保持されている。
なお、太陽光パネル１は、最も性能を発揮することができる傾斜角度θである約３０度に傾斜して配置され、太陽の方向に向けて配置することが望ましい。
【００２６】
図３に示すように、太陽光パネル１は、使用しないときや移動時に、リンク部材５４をワゴン５の上面にある枠部５３内に水平な状態にすることによって、そのリンク部材５４の先端部から真下に向けて垂下してワゴン５内の収納空間５ａに収納される。
【００２７】
≪充電コントローラの構成≫
図１に示すように、前記充電コントローラ２は、太陽光パネル１で集めた電気をバッテリＢに溜めておくための充放電を制御する太陽電池用バッテリチャージコントローラである。充電コントローラ２は、例えば、太陽光パネル１からバッテリＢへの充電電圧を自動制御したり、バッテリＢの過充電を防止したりする充電制御と、バッテリＢの低電圧による負荷の遮断と負荷の自動再接続とを行ってバッテリＢの過放電を防止する放電制御と、バッテリＢから太陽光パネル１への電流の逆流を防止する逆流防止と、バッテリＢの温度を感知して充電電圧を補正して最適な充電制御を行う温度補正制御と、を行う。
図３に示すように、充電コントローラ２は、ワゴン５の側板５６の内壁に取り付けられた支持板５７（図６参照）によって固定されて、一方が太陽光パネル１に接続され、他方がバッテリＢに接続されている。
【００２８】
≪バッテリの構成≫
図１に示すように、バッテリＢは、太陽光パネル１で集めた電気エネルギーを溜めて置く電源であり、ボイラ４に内設されたポンプＰやセンサ類（Ｓ１〜Ｓ６）等を駆動させる電力を供給する蓄電池である。このバッテリＢは、太陽光パネル１で発生した電力によって充電されるようになっている。バッテリＢは、一方が充電コントローラ２に接続され、他方がＤＣ／ＡＣインバータ３を介してボイラ４に設けられた制御装置６に接続されている。
なお、バッテリＢは、リモコン６１の操作によって電源が入っているときに、太陽光パネル１からの電流で自動的に充電されるようにしてもよい。
【００２９】
≪ＤＣ／ＡＣインバータの構成≫
ＤＣ／ＡＣインバータ３は、太陽光パネル１で集めた電気（ＤＣ直流）と、バッテリＢから放電された直流電流とを、例えば、家庭用電気（ＡＣ交流１００Ｖ）等の交流電流に変換するユニットである。
【００３０】
≪制御装置の構成≫
制御装置６は、熱交換部４２（図７参照）によってボイラ熱と被加熱水とを熱交換して加熱する加熱運転を制御するものであり、被加熱水がリモコン６１で設定した温度の湯水が供給されるように制御している。制御装置６には、ボイラ４にそれぞれ設けられたリモコン６１、凍結予防ヒータ６２、イグナイター６３、ポンプＰ、送風機Ｆ、点火トランス４５、耐震自動消化装置Ｓ１、減油感知器Ｓ２、炎検出器Ｓ３、ハイカットＳ４、缶体サーミスタＳ５、外気温サーミスタＳ６等が接続されている。
【００３１】
≪ボイラの構成≫
図３〜図４に示すように、ボイラ４は、燃料を燃焼させて得られる燃焼熱と被加熱水とを熱交換して湯水に換える装置であり、例えば、排気ガスを排出する排気口４ａを一端側（前側）方向にしてワゴン５の下板部５１上の一端部（前端部）側寄りの位置に載設されている。
図７または図８に示すように、ボイラ４は、例えば、被加熱水が供給される給水口４１と、湯水を生成する熱交換器４２と、給水口４１の被加熱水を熱交換器４２に送る給水管４３と、燃焼熱を発生させるバーナ部４４と、バーナ部４４に空気を送る送風機Ｆと、バーナ部４４に燃料を供給するポンプＰと、バーナ部４４を点火させる点火トランス４５と、前記制御装置６を構成する制御基板６４と、制御基板６４に接続されたリモコン６１と、湯水を放出する出湯口４６と、出湯口４６と熱交換器４２とを接続する出湯管４７と、ワゴン５に載設されるケーシング４８と、を主に備えている。
【００３２】
図７及び図８に示すように、給水口４１は、例えば、被加熱水としての水道水を供給する不図示の水道管に接続されたホースが接続される部位であり、被加熱水中に含まれる不純物等の混入物を除去する水ストレーナ４１ａが設けられている。水道水は、一般に０．３Ｍｐａ程度の水圧を有し、その水圧を減圧弁Ｖ１で適宜な圧力に減圧してボイラ４内を循環させて出湯口４６から放出される。
【００３３】
図７に示すように、熱交換器４２は、給水口４１から給水管４３を介して被加熱水が供給されて、その被加熱水とバーナ部４４の燃焼熱とを熱交換させて湯水を生成するものである。熱交換器４２は、ケーシング４８の右側半分に亘って配置された缶体からなる。
【００３４】
図８に示すように、給水管４３は、上流側が、水ストレーナ４１ａを介して給水口４１に接続され、下流側が、減圧弁Ｖ１を介して熱交換器４２に接続されている。
バーナ部４４は、熱交換器４２の外周部下側に配置され、燃料タンクＴ（図２参照）から供給された燃料が燃焼することによって発生した燃焼熱で熱交換器４２内の被加熱水（水道水）を湯水に加熱する。バーナ部４４の外周部には、バーナ部４４の燃焼状態を検出する炎検出器Ｓ３が設置されている。
【００３５】
送風機Ｆは、バーナ部４４に空気を送って燃焼を良好にさせるための送風機Ｆである。
ポンプＰは、燃料タンクＴ内の燃料をバーナ部４４に供給する電磁ポンプからなる。
点火トランス４５は、バーナ部４４の点火部（図示省略）を点火可能な電圧に変化するための変圧器である。
制御基板６４の上端部には、リモコン６１（図１参照）に接続されたリード線が接続されるリモコン端子台が設けられている。
【００３６】
リモコン６１（図４参照）は、出湯口４６から吐出される湯水の温度等を設定したり、ボイラ４を操作したりする制御盤であり、ケーシング４８の前面パネル４８ａに取り付けられた開閉自在な開閉部材６１ａ（図４参照）の内に配置されている。
送風機Ｆ、ポンプＰ、点火トランス４５、制御基板６４及びリモコン６１は、前記バッテリＢ（図１参照）及び太陽光パネル１から供給される電流によって駆動される。
【００３７】
出湯口４６は、熱交換器４２で加熱されて適温に調整された湯水をボイラ４から放出する部位であり、例えば、不図示のホースを介して給湯栓やシャワー等が接続されている。
出湯管４７は、その出湯口４６と熱交換器４２との間に接続された配管である。
【００３８】
移動式給湯装置Ａ（図２参照）は、熱交換器４２に連通する給水口４１に、不図示の水道管に接続されたホースを接続すると共に、出湯口４６にシャワー等（図示省略）を接続し、被加熱水を熱交換器４２で熱交換させて適温な湯水にすることによって、電源がないあらゆる場所でも給湯を行うことができる。
【００３９】
図２に示すように、ケーシング４８は、ボイラ４の外周部を形成する金属製パネル材からなり、直方体形状に形成されている。ケーシング４８は、ワゴン５の下板部５１の前端部に幅方向に向けて配置されている。図７に示すように、ケーシング４８は、前面パネル４８ａ（図４参照）と、背面パネル４８ｂ（図２参照）と、左右の側面パネル４８ｃ，４８ｄと、上面パネル４８ｅと、下面パネル４８ｆと、から構成されて、前記した熱交換器４２、バーナ部４４、ポンプＰ、送風機Ｆ、点火トランス４５等が内設されている。
【００４０】
図４に示すように、前面パネル４８ａには、バーナ部４４（図７参照）で燃焼した燃料の排気ガスが放出される排気口４ａと、開閉自在な開閉部材６１ａと、この開閉部材６１ａの蓋体の内側に配置されたリモコン６１とが配置されている。
上面パネル４８ｅの左右前端部の角には、保護カバ−４８ｉがそれぞれ取り付けられている。
図２に示すように、背面パネル４８ｂには、空気を取り入れるための所謂よろい戸状の吸気口４８ｇが形成されている。
図３に示すように、左側の側面パネル４８ｃには、給水口４１と、出湯口４６と、燃料供給配管Ｔａとが配置されている。
図７に示すように、右側の側面パネル４８ｄには、吸気口４８ｇと、取っ手４９と、熱交換器４２の下端部に連通した排水口４２ａとが配置されている。
下面パネル４８ｆの前後左右の下端部には、ケーシング４８と下板部５１との間を適宜な間隔に維持するためのスペーサＮがそれぞれ設けられている。
【００４１】
≪燃料タンクの構成≫
図２に示すように、燃料タンクＴは、灯油等の燃料が貯溜される貯溜タンクであり、ワゴン５の下板部５１の後寄りの位置に載設されている。燃料タンクＴには、燃料を濾過するためのオイルストレーナを介してポンプＰ（図７参照）に接続された燃料供給配管Ｔａが取り付けられている。
【００４２】
≪ワゴンの構成≫
ワゴン５は、前記した太陽光パネル１と、ボイラ４と、燃料タンクＴと、バッテリＢと、仕切板５９とを搭載し、下板部５１に設けたキャスタ５８によって自由に移動させることが可能なボイラ移動用台車である。このワゴン５は、下方に配置された矩形の下板部５１と、下板部５１の周部四隅にそれぞれ立設された支柱フレーム５２と、支柱フレーム５２の上部に設置された四角形の枠部５３と、収納空間５ａと、左右一対のリンク部材５４と、四本の支柱フレーム５２の前後左右の上部に設けられた側板５６と、充電コントローラ２を支持する支持板５７（図６参照）と、前記キャスタ５８と、平面視してＬ字状に形成された仕切板５９と、を主に備えている。
【００４３】
＜下板部の構成＞
下板部５１は、矩形の金属製平板部材の外周部をＬ字状に折曲加工して稜線で補強してなる底板部材であり、前後左右の端部に配置された支柱フレーム５２の下端部にネジ止めさている。この下板部５１は、下面５１ａの四隅にキャスタ５８が配置され、上面５１ｂに前記ボイラ４、燃料タンクＴ、バッテリＢ及び仕切板５９が載設されている。
【００４４】
＜支柱フレームの構成＞
支柱フレーム５２は、上下方向へ向けて延設された四本の支柱であり、例えば、断面Ｌ字状の山形鋼（アングル材）からなる。支柱フレーム５２は、下端部が下板部５１の四隅に設置され、上端部が四角形の枠部５３の四隅に設置されている。枠部５３の外周部及び四つの支柱フレーム５２の前後左右の上部外側には、放熱孔５５ａ，５６ａが多数形成された側板５５，５５，５６，５６がそれぞれ設けられている。
【００４５】
＜枠部の構成＞
図２に示すように、枠部５３は、ワゴン５において、上部左側に配置されて前後方向に延設された左フレーム５３ａと、上部右側に配置されて前後方向に延設された右フレーム５３ｂと、上部後側に配置されて左右方向に延設された後側フレーム５３ｃと、上部前側に配置されて左右方向に延設された前側プレート５３ｄと、を四角形の枠状に連設してなる。
枠部５３の内周面には、移動時に、前記蝶番８を中心として枠部５３の内側まで回動したリンク部材５４が載置される支持板５７（図３及び図６参照）が設けられている。枠部５３には、枠部５３に対して回動自在に配置され、バッテリＢに電力を供給して充電を行う太陽光パネル１が、ヒンジ７、リンク部材５４及び蝶番８を介して設けられている。
太陽光パネル１は、使用時または使用しないときに、その太陽光パネル１が枠部５３よりも高い位置に配置され、移動時に、ワゴン５内に収納可能に配置される。
【００４６】
図３に示すように、収納空間５ａは、太陽光パネル１をワゴン５内に収納するための空間である。そのワゴン５内には、燃料タンクＴ及びバッテリＢの後方部位の下板部５１からこの下板部５１の上方に亘って、太陽光パネル１を縦に向けて収納する収納空間５ａが形成されている。
【００４７】
＜リンク部材の構成＞
リンク部材５４は、太陽光パネル１の使用時に、太陽光パネル１を傾斜した状態に支持して、太陽光パネル１を使用しない移動時に、太陽光パネル１をワゴン５内に収納した状態に支持する部材である。リンク部材５４は、太陽光パネル１の一端部側の幅方向の両端部に連結された一対のアーム５４ａ，５４ｂと、一対のアーム５４ａ，５４ｂ間に介在されたカバー部材５４ｃと、を備えている。リンク部材５４は、アーム５４ａ，５４ａの下端部に蝶番８，８を介して左フレーム５３ａ及び右フレーム５３ｂに回動可能に連結し、アーム５４ａ，５４ａの上端部にヒンジ７，７を介在して太陽光パネル１の基端部１ａに連結して、蝶番８を中心として前後方向に回動する。
【００４８】
つまり、図２に示すように、リンク部材５４は、太陽光パネル１の使用時に、枠部５３の一端部側寄りの位置から上方に向けて回動させて引き上げた状態に配置され、太陽光パネル１を傾斜状態にワゴン５の上部に配置する。
また、図３に二点差線で示すように、リンク部材５４は、移動時に、枠部５３の一端部側寄りの位置から後方向に向けて水平な状態に回動させて枠部５３内に収納状態にすると共に、太陽光パネル１をリンク部材５４の先端部のヒンジ７を中心に回動させて真下に向かって垂下した状態でワゴン５内に格納される。
【００４９】
＜側板及び支持板の構成＞
図２に示すように、側板５５，５６は、ボイラ４の排気口４ａから排出された排気ガスの熱や、ボイラ４から放射された熱によってワゴン５の上部が高温になるのを防止するための多数の放熱孔５５ａ，５６ａを有し、その熱で太陽光パネル１が加熱されるのを抑えている。
図３及び図６に示すように、支持板５７の下部には、太陽光パネル１で生成された電流によってバッテリＢの充電を制御する充電コントローラ２が、側板５６に沿って配置されている。
【００５０】
＜キャスタ及び仕切板の構成＞
図２に示すように、キャスタ５８は、市販製品からなり、例えば、左右前側のキャスタ５８等に回転防止用のストッパ（図示省略）を設けても構わない。
仕切板５９は、燃料タンクＴの周囲を覆う保護カバーであり、燃料タンクＴとバッテリＢとの間と、燃料タンクＴの後側とに配置された平面視してＬ字状の平板部材からなる。
【００５１】
≪ヒンジ及び蝶番の構成≫
図３及び図４に示すように、ヒンジ７は、太陽光パネル１の基端部１ａをリンク部材５４のアーム５４ａ，５４ｂに回動自在に連結するための連結部材であり、例えば、アーム５４ａ，５４ｂに設けられた凸部７ａと、太陽光パネル１の基端部１ａの下面に設けられ、前記凸部７ａが軸合する軸孔を有する枢支部材７ｂと、からなる。
図２〜図５に示すように、蝶番８は、リンク部材５４のアーム５４ａ，５４ｂの基端部と、枠部５３の前側プレート５３ｄの左右後端部と、を回動自在に連結する部材であり、例えば、一般に市販されている市販品からなる。
【００５２】
≪ロック機構の構成≫
図３に示すように、ロック機構９は、太陽光パネル１をワゴン５の上部に斜めに配置した状態をロックするための装置であり、太陽光パネル１の先端部１ｂに設けられ、係合孔９１ａを有するストッパ９１と、枠部５３の先端側に設置され、係合孔９１ａにプランジャ９２ａを係合させてロックするロック装置９２と、を備えて構成されている。
【００５３】
ストッパ９１は、例えば、太陽光パネル１の先端部１ｂの左右端部下面にそれぞれ設けられた板状部材からなり、太陽光パネル１の幅方向に向けて穿設された係止孔９１ａが形成されている。
図５に示すように、ロック装置９２は、係止孔９１ａ（図３参照）に係合・離脱するプランジャ９２ａと、プランジャ９２ａの先端部を係合孔９１ａに内嵌させてロック状態に維持させるためのプッシュロック式のロック用ノブ９２ｂと、ロック状態のプランジャ９２ａを元のアンロック状態に自動戻りさせるためのスプリング（図示省略）と、プランジャ９２ａのロック状態を解除させるロック解除用の解除ノブ９２ｃと、を有している。
【００５４】
≪移動式給湯装置の動作≫
次に、図１〜図８を参照しながら移動式給湯装置Ａの動作について説明する。
＜移動させる場合＞
移動式給湯装置Ａを屋外等の適宜な場所へ移動させるときには、図３で二点差線で示すように、リンク部材５４を枠部５３内に内嵌させるように収納すると共に、リンク部材５４の先端部１ｂに連結された太陽光パネル１をワゴン５内の収納空間５ａに、リンク部材５４から真下に向かって垂下した状態に収納させてから移動させる。
【００５５】
移動式給湯装置Ａは、このように太陽光パネル１及びリンク部材５４をワゴン５内に収納することにより、移動式給湯装置Ａ全体の高さを低くしてコンパクトにすることができると共に、太陽光パネル１を外部の物と接触して損傷しない状態に格納することができる。このため、移動式給湯装置Ａは、ワゴン５を押して安定した状態で容易に移動させることができると共に、車両の荷台等にも容易に積載することができるので、搬送性や保管性に優れている。その結果、移動式給湯装置Ａは、キャンプ場や海水浴場や災害現場や電源施設のない場所等へ容易に運ぶことができる。
【００５６】
＜昼間使用する場合＞
移動式給湯装置Ａは、昼間、被災地等の電源のない屋外で移動式給湯装置Ａを使用する場合、図２〜図４に示すように、リンク部材５４を蝶番８を中心として上方向へ回動させて、太陽光パネル１を収納空間５ａから引き上げる。次に、太陽光パネル１の先端のロック機構９の係止孔９１ａに、ロック用ノブ９２ｂを押圧操作してプランジャ９２ａを係合させ、太陽光パネル１及びリンク部材５４を側面視して三角形を形成する状態にして、その状態を保持する。そして、受光面１ｃが太陽と対向するようにワゴン５を移動させる。
【００５７】
給水口４１に、不図示のホースを介して水道管を接続する。出湯口４６に、不図示のホースを介してシャワー等と接続する。そして、リモコン６１を操作して電源をＯＮすることにより、太陽光パネル１によって発電され、電流がバッテリＢに流れてバッテリＢが充電される。このため、バッテリＢは、バッテリ切れが防止されて、長時間に亘って連続して使用することが可能となる。
【００５８】
そして、リモコン６１の点火スイッチを操作すると、ポンプＰが燃料タンクＴ内の燃料を吸引してバーナ部４４に送ると共に、点火トランス４５によってバッテリＢから電圧が高電圧に変換されてバーナ部４４を点火される。
バーナ部４４の燃焼による燃焼熱と被加熱水（水道水）とが熱交換器４２で熱交換されて加熱される。リモコン６１を操作してシャワーから放出される湯水の温度を設定し、シャワーの栓（図示省略）を解放することによって、設定された温度の湯水がシャワーから放出される。
【００５９】
＜夜間使用する場合＞
夜間や暗い場所で移動式給湯装置Ａを使用する場合、昼間充電したバッテリＢからの電流を使用してボイラ４内のある送風機Ｆ等の電気を使用する電装品に電力を供給して給湯を行うことによって、長時間に亘って移動式給湯装置Ａを使用することができる。
【００６０】
本発明の移動式給湯装置Ａは、このように、電源設備のないところであっても、電源を気にせずに、どこでも使用することができるため、特に、キャンプ場や海水浴場や災害現場や電源施設のない場所での給湯設備として有効的に使用することができる。
【００６１】
［変形例］
なお、本発明は、前記実施形態に限定されるものではなく、その技術的思想の範囲内で種々の改造及び変更が可能であり、本発明はこれら改造及び変更された発明にも及ぶことは勿論である。
【００６２】
前記実施形態では、ボイラ４の一例として灯油を燃料とする移動式給湯装置Ａを例に挙げて説明したが、これに限定されるものではなく、ボイラ４の形式は特に限定されない（図２参照）。ボイラ４は、例えば、灯油以外の重油、軽油、ガソリンあるいはガス等を燃料とするものであっても構わない。その場合、燃料に合わせてボイラ４の構造を適合させればよい。
【００６３】
また、太陽光パネル１の基端部１ａと、ワゴン５の枠部５３との間に介在したリンク部材５４は、側面視して、一本のアーム５４ａ，５４ｂからなるリンク機構を形成したものを例に挙げて説明したが、これに限定されるものではない（図２参照）。リンク部材５４は、側面視して複数のアーム５４ａ，５４ｂで形成したものであっても構わない。
【００６４】
また、前記実施形態では、図２及び図３に示すように、リンク部材５４の一例として、左右一対のアーム５４ａ，５４ｂの長さが固定されたものを例に挙げて説明したが、これに限定されるものではない。
例えば、リンク部材５４は、アーム５４ａ，５４ｂを伸縮可能な部材で形成して長さを可変できるようにして、太陽光パネル１の傾斜角度θを太陽の位置に合わせて調整できるようにしても構わない。
このようにアーム５４ａ，５４ｂを形成すれば、アーム５４ａ，５４ｂを伸ばせば太陽光パネル１の傾斜角度θを大きくすることができると共に、アーム５４ａ，５４ｂを縮めれば太陽光パネル１の傾斜角度θを小さくすることができるため、太陽光の集光効率を向上させることができる。
【符号の説明】
【００６５】
１      太陽光パネル
１ａ    一端部
１ｂ    他端部
１ｃ    受光面
２      コントローラ
４      ボイラ
４ａ    排気口
５      ワゴン
５ａ    収納空間
７      ヒンジ
８      蝶番
９      ロック機構
５１    下板部
５１ａ  下面
５１ｂ  上面
５２    支柱フレーム
５３    枠部
５４    リンク部材
５４ａ，５４ｂ  アーム
５４ｃ  カバー部材
５５，５６  側板
５５ａ，５６ａ  放熱孔
５７    支持板
５８    キャスタ
Ｂ      バッテリ
Ｐ      ポンプ
Ａ      移動式給湯装置
Ｔ      燃料タンク
【図１】
0005637905.tif 000002
【図２】
0005637905.tif 000003
【図３】
0005637905.tif 000004
【図４】
0005637905.tif 000005
【図５】
0005637905.tif 000006
【図６】
0005637905.tif 000007
【図７】
0005637905.tif 000008
【図８】
0005637905.tif 000009